(57)【要約】【課題】犬等を自動車に乗せる場合、抜け毛や手足に付着した泥で座席等が汚れない様ペット用カバーで覆うが、ペットが動いてカバーがズレたり支えているヒモが切断して泥等がこぼれ座席等を汚した。またペットが座席を占有するタイプなので家族とペットが座席に同乗することもできなかった。【解決手段】座席前フロアーに設けた箱状の台５の上面と、背もたれ１に被せた下地用シートカバー６の表面と、それを覆うペット用カバー７の裏面と、に有するマジックテープ（登録商標）の働きで、ペットが動いてもペット用カバーがズレないし、端部を支えるヒモも不要になるので、ズレやたるみ或いはヒモの切断によりペット用カバーに溜まった泥等が座席へ落ちることがなくなる。またペット用カバー７の一部と人用カバー２８を入れ替え家族の席にすることで、後部座席に家族とペットが同乗できる。【選択図】図１
2007022512.tif 000002
【特許請求の範囲】
【請求項１】
自動車の座席前フロアーに、箱状の台を設けたことを特徴とするペット用補助席。
【請求項２】
前記ペット用補助席は、自動車の座席前フロアーに設けられた座席とほぼ同じ高さの箱状の台と、前記座席の背もたれの前面と前記箱状の台を覆うペット用カバーと、このペット用カバーの裏面と前記ペット用カバーの下に配置される下地用シートカバーの表面との間に設けられるマジックテープ（登録商標）と、前記ペット用カバーの裏面と前記箱状の台の上面との間に設けられるマジックテープ（登録商標）と、を有することを特徴とする請求項１記載のペット用補助席。
【発明の詳細な説明】
【技術分野】
【０００１】  この発明は、自動車の座席と座席背もたれを覆うペット用補助席の形状に関するものである。
【背景技術】
【０００２】  従来の自動車の座席と座席背もたれを覆うペット用補助席の形状は、図２に示すように後部座席背もたれ１の前面と、座席３と、座席前フロアー４と、前部座席背もたれ２の裏面の全体をペット用カバー９で覆い、そのペット用カバー９上をペット１１が動き回ることができる構造になっており、前記ペット用カバー９の端部はヒモ１０で支えられている。
【発明の開示】
【発明が解決しようとする課題】
【０００３】  しかしながら以上の技術によれば、ペット１１が座席３より低い座席前フロアー４へ移動すると前記ペット１１と共にペット用カバー９も下がり、端部を支えているヒモ１０が引っ張られ切断して前記ペット用カバー９が使用できなくなったし、前期ペット１１が動き回ることで前記ペット用カバー９にズレやたるみも発生した。また前記座席３と座席背もたれ全体が前記ペット用カバー９で覆われているので、家族とペットが前記座席３に一緒に乗ることもできなかった。
そこでこの発明は、ペット１１が動くことで前記ペット用カバー９にズレやたるみ或いは端部を支えているヒモ１０が引っ張られ切断したりすることが無く、座席３には家族とペットが一緒に乗ることができるペット用補助席を提供することを課題とする。
【課題を解決するための手段】
【０００４】  以上の課題を解決するために、第一発明は、自動車の座席前フロアーに座席とほぼ同じ高さの箱状の台を設けたことを特徴とするペット用補助席である。
第二発明は、自動車の座席背もたれの前面と座席前フロアーに設けられる箱状の台を覆うペット用カバーと、このペット用カバーの裏面と前記ペット用カバーの下に配置される下地用シートカバーの表面と前記箱状の台の上面にマジックテープ（登録商標）を有することを特徴とするペット用補助席であり、家族とペットが後部座席に一緒に乗る場合は、２〜３組に分割されている前記ペット用カバーの一部を人用カバーと入れ替えることが可能であることを特徴としている。
【発明の効果】
【０００５】  第一発明によれば、自動車の座席前フロアーに設けられる座席とほぼ同じ高さに調節された箱状の台の働きで、ペット用カバー上を前記座席から前記座席前フロアーにペットが移動しても前記ペット用カバーが前記ペットと共に下がることが無い。
第二発明によれば、自動車の座席背もたれの前面と座席前フロアーに設けられた箱状の台を覆うペット用カバーと、このペット用カバーの裏面と前記ペット用カバーの下に配置される下地用シートカバーの表面と前記箱状の台の上面に設けられるマジックテープ（登録商標）の働きで、前記ペット用カバーの端部を支えるヒモが不要になるし、ペットが前記ペット用カバー上を動き回ってもそのペット用カバーにズレやたるみが発生しない。また前記ペット用カバーが分割されている働きで、前記ペット用カバーの一部と人用カバーを入れ替え家族の席にして家族とペットが後部座席に一緒に乗ることもできる。
【発明を実施するための最良の形態】
【０００６】「実施形態１」
この発明の一実施形態１を、図１に示す。
ペット用補助席は、自動車の座席前フロアー４に設けられる座席３とほぼ同じ高さの上面にマジックテープ（登録商標）を有する箱状の台５と、座席背もたれ１に被せられ表面にマジックテープ（登録商標）を有する下地用シートカバー６と、が２〜３組に分割され裏面にマジックテープ（登録商標）を有するペット用カバー７で覆われており、そのペット用カバー７の一部と人用カバー２８を入れ替えて家族の席を確保することで家族とペットが座席３に一緒に乗れる構造にもなっている。
普通自動車で前記ペット用補助席を１組使用する場合は図１の通りになり、座席前フロアー４に設けられた座席３とほぼ同じ高さの上面にマジックテープ（登録商標）を有する１組の前記箱状の台５と、前記座席背もたれ１に被せられ表面にマジックテープ（登録商標）を有する前記下地用シートカバー６と、が裏面にマジックテープ（登録商標）を有する１枚の前記ペット用カバー７で覆われている。またペットと家族が前記座席３に同乗するため入れ替えられた２枚の前記人用カバー２８に箱状の台５は不要で、裏面にマジックテープ（登録商標）を有し前記下地用シートカバー６に被せられており幅は前記ペット用カバー７と同じになっている。
前部座席背もたれ２に背もたれカバー８を被せて裏面の汚れを防止している。【０００７】「実施形態２」
この発明の一実施形態２を、図３に示す。
自動車の座席前フロアー４に設けられる箱状の台５は、ペット用品収納室の扉１５と、高さ調節用ボルト１６と、ペット用補助席を複数組使用する場合の締付け金具１７と、上面にマジックテープ（登録商標）１４を有している。また座席背もたれ１に被せられ表面にマジックテープ（登録商標）１２を有している下地用シートカバー６の下端は、前記座席背もたれ１の下部と座席３の隙間に挿し込み固定されている。
裏面にマジックテープ（登録商標）１３を有し前記下地用シートカバー６と前記箱状の台５を覆うペット用カバー７は分割されており、後部座席に家族がペットと同乗する場合は一部人用カバーと入れ替えることで家族の席として利用できる構造になっている。
前部座席背もたれ２に背もたれカバー８を被せ、裏面の汚れを防止している。【０００８】「実施形態３」
この発明の一実施形態３を、図４に示す。
自動車の座席前フロアー４に設けられる座席３とほぼ同じ高さの箱状の台５は、ペット用品収納室１８及びその扉１５と、高さ調節用ボルト１６と、上面にマジックテープ（登録商標）１４と、を有しておりペット用補助席を複数組使用する場合に用いられる締め付け用金具１７がボルト１９で固定されている。
普通自動車で前記箱状の台５を使用する場合は単独で使用する方法と、前記箱状の台５の締め付け用金具１７と高さ調節用ボルト１６及びマジックテープ（登録商標）１４を有するテーブル状の台２１をボルト２０で締め付けて使用する方法と、２組の締め付け用金具１７が設けてある前記箱状の台５の中央に前記テーブル状の台２１を配置しボルト２０で締め付けて３組で使用する方法とがある。軽自動車で使用する場合は前記箱状の台５を単独で使用する方法と、２台の締め付け用金具１７が設けてある前記箱状の台５の中央に継板２２を配置してボルト２０で締め付けて２組で使用する方法とがある。
前部座席前フロアーには、前記箱状の台５が単独で使用される。【０００９】「実施形態４」
この発明の一実施形態４を、図５に示す。
自動車の座席背もたれ１は車種により形状が違うため下地用シートカバーの上端は、座席背もたれ上部に挿し込むタイプ６と、被せるタイプ２４と、頭当て部２５を切り抜き被せるタイプ２６等があり、下端については座席背もたれ１の下部と座席３の隙間に挿し込まれる。前部座席の下地用シートカバー２３は、上端を前部座席背もたれ２に被せられ下端を前記座席背もたれ２の下部と座席の隙間に挿し込まれる。後部座席の下地用シートカバーは普通自動車で６と２４と２６、軽自動車で２７のタイプ等が使用される。【００１０】「実施形態５」
この発明の一実施形態５を、図６に示す。
自動車の座席前フロアー４に設けられる座席３とほぼ同じ高さで上面にマジックテープ（登録商標）を有する箱状の台５と、座席背もたれ１に被せられ表面にマジックテープ（登録商標）１２を有する下地用シートカバー６を、裏面にマジックテープ（登録商標）を有するペット用カバー７で覆うことでペット用補助席として使用される。
前記ペット用補助席は２〜３組に分割されており、前記ペット用カバー７の一部と裏面にマジックテープ（登録商標）２９を有する前記人用カバー２８を入れ替え家族の席として利用することで、家族とペットが後部座席３に同乗できる構造になっている。また前記人用カバー２８は前記ペット用カバー７と幅が同じで箱状の台５は不要になる。
前記ペット用カバー７または前記人用カバー２８は普通自動車で３枚、軽自動車で２枚までが使用可能で、図６の普通自動車の使用例では前記ペット用カバー７が１枚と前記人用カバー２８が１枚設けられており、更にマジックテープ（登録商標）１２を有する下地用シートカバー６を前記人用カバー２８で覆うことで、ペットと家族２人までが前記座席３に乗ることができる。【００１１】「実施形態の効果」
この実施形態によれば、ペット用補助席は座席より低い座席前フロアーに前記座席とほぼ同じ高さの箱状の台を設けた働きで、前記座席から前記座席前フロアーにペットが移動してもその重みでペット用カバーが下がらないし、ペット用補助席も座席前フロアー部まで広く使用することができる。
前記座席前フロアーに設けられ上面にマジックテープ（登録商標）を有する前記箱状の台と、座席背もたれに被せられ表面にマジックテープ（登録商標）を有する下地用シートカバーと、この下地用シートカバーと前記箱状の台を覆う裏面にマジックテープ（登録商標）を有する前記ペット用カバーの働きで、ズレやたるみが発生しないし前記ペット用カバーの端部を支えるヒモも不要になる。また前記ペット用カバーは分割されているので、前記ペット用カバーの一部と人用カバーを入れ替えて家族の席にすることで、後部座席に家族とペットが一緒に乗ることができるようにもなる。
したがって、ペットが前記ペット用補助席を自由に動き回り、前記ペット用カバーにズレやたるみ或いは端部を支えているヒモが切断して前記ペット用カバー上に溜まった抜け毛や手足に付いた泥等が隙間から落ちて背もたれや座席を汚すことが無くなるし、前記ペット用カバーは簡単に取り外しできるので、汚れた場合は取り外して洗濯を行うことで自動車内部を清潔に保つこともできる。雨天時は専用のペット用カバーを用いれば、座席と背もたれを汚さずにペットを乗せることも可能になる。
前記ペット用カバーの一部を前記人用カバーと入れ替え家族の席にすることで家族とペットが後部座席に同乗できるし、家族構成やペットの種類により前記ペット用カバーと前記人用カバーを柔軟に入れ替えることも可能で、家族の年齢によっては前記人用カバーを絵柄や花柄入りまたは体に優しい素材を用いるなど様々に使い分けることもできる。
前記箱状の台にはペット用品収納室が設けてあるので、ペットの飲食物や汚れ物を収納するため特別にペット用品収納場所を確保する必要も無いし、ペット用補助席は分割できるので自動車のトランクに入れ簡単に持ち運びすることも可能である。
前部座席背もたれ裏側は背もたれカバーで覆われているので、汚れが防止できる。【００１２】「他の実施形態」
図１の実施形態では、前部座席背もたれ裏側に背もたれカバー８が被せられているが、市販されている座席用シートカバーを使用しても良い。
【図面の簡単な説明】
【００１３】
【図１】この発明の一実施形態を示す斜視図である。
【図２】従来技術を示す断面図である。
【図３】この発明の一実施形態を示す各部材の斜視図である。
【図４】この発明の一実施形態を示す箱状の台の斜視図である。
【図５】この発明の一実施形態を示す車種による下地用シートの斜視図である。
【図６】この発明の一実施形態を示す人用カバーの斜視図である。
【符号の説明】
【００１４】    １  （後部）座席背もたれ              ２  （前部）座席背もたれ
３  座席                              ４  座席前フロアー
５  箱状の台                          ６  下地用シートカバー
７  ペット用カバー                    ８  背もたれカバー
９  ペット用カバー（従来使用）      １０  ペット用カバー端部支持用ヒモ
１１  ペット                          １２  下地シートカバー用マジックテープ
１３  ペットカバー用マジックテープ    １４  箱状の台用マジックテープ
１５  ペット用品収納室扉              １６  高さ調節用ボルト
１７  締め付け用金具                  １８  ペット用品収納室
１９  締め付け金具用ボルト            ２０  締め付け用ボルト
２１  テーブル状の台                  ２２  継板
２３  前部座席下地用シートカバー      ２４  下地用シートカバー
２５  後部座席頭当て部                ２６  下地用シートカバー
２７  下地用シートカバー              ２８  人用カバー
２９  人用カバー用マジックテープ
【図１】
2007022512.tif 000003
【図２】
2007022512.tif 000004
【図３】
2007022512.tif 000005
【図４】
2007022512.tif 000006
【図５】
2007022512.tif 000007
【図６】
2007022512.tif 000008